(57)【要約】【課題】  制御盤を原位置で容易かつ確実に取り替えられるようにする。【解決手段】  架台本体２の正面部２１の上下縁よりも内側に、制御盤に接続されるケーブル群を挿入可能な正面側開口２Ａが形成され、架台本体２の背面部２２の上下縁よりも内側に、ケーブル群を挿入可能な背面側開口が形成され、架台本体２の上面部２３に、正面側開口２Ａと背面側開口とに連通する上面側開口２Ｃが形成され、正面側開口２Ａを開閉する正面側開閉蓋３と、上面側開口２Ｃを開閉する上面側開閉蓋４と、を備える。【選択図】  図１
2020150755.tif 000002
【特許請求の範囲】
【請求項１】
断面が略四角い筒状体で水平に延びて設置床に設置される架台本体を備え、制御装置を載置する制御装置用架台であって、
前記架台本体の正面側の垂直面部の上下縁よりも内側に、前記制御装置に接続されるケーブル群を挿入可能な正面側開口が形成され、
前記架台本体の背面側の垂直面部の上下縁よりも内側に、前記ケーブル群を挿入可能な背面側開口が形成され、
前記架台本体の上面側の水平面部に、前記正面側開口と前記背面側開口とに連通する上面側開口が形成され、
前記正面側開口を開閉する正面側開閉蓋と、
前記上面側開口を開閉する上面側開閉蓋と、
を備えることを特徴とする制御装置用架台。
【請求項２】
前記正面側開口と前記背面側開口の大きさは、２台の前記制御装置分の前記ケーブル群を挿入可能に設定されている、
ことを特徴とする請求項１に記載の制御装置用架台。
【請求項３】
前記正面側開閉蓋は、下端部に設けられたヒンジを中心に回転することで前記正面側開口を開閉する、
ことを特徴とする請求項１または２のいずれか１項に記載の制御装置用架台。
【請求項４】
請求項１〜３のいずれか１項に記載の制御装置用架台に載置された既設制御装置を、新設制御装置に取り替える制御装置取替方法であって、
前記正面側開閉蓋を開けて、前記新設制御装置用の前記ケーブル群を前記設置床下から前記背面側開口および前記正面側開口を通して、前記新設制御装置に接続するケーブル接続ステップと、
前記既設制御装置に接続されている前記ケーブル群を前記既設制御装置から取り外し、前記既設制御装置を撤去する撤去ステップと、
前記上面側開閉蓋を開けて、前記新設制御装置に接続されている前記ケーブル群を前記上面側開口に通しながら、前記既設制御装置が設置されていた位置に前記新設制御装置を移動する移動ステップと、
を備えることを特徴とする制御装置取替方法。
【発明の詳細な説明】
【技術分野】
【０００１】
この発明は、制御盤や配電盤、リレー盤などの制御装置を載置する制御装置用架台および、この制御装置用架台に載置された制御装置を取り替える制御装置取替方法に関する。
【背景技術】
【０００２】
例えば、寿命や故障などにより、既設の制御盤を新たな制御盤に取り替える（据え替える）際に、配電盤室が狭いため、あるいは各種機器や設備などが密集しているために、新たな制御盤を設置するスペースを配電盤室内に確保できない場合がある。このような場合、従来、既設の制御盤の配置スペースに新たな制御盤を設置していた。すなわち、既設の制御盤を設置床から持ち上げて（嵩上げして）、既設の制御盤と設置床との間に空間を形成する。そして、この空間を介して、設置床下からの新ケーブルを新たな制御盤に接続し、既設の制御盤を配置スペースから撤去した後に、新たな制御盤を配置スペースに設置していた。
【０００３】
しかしながら、既設の制御盤を設置床から持ち上げるため、既設の制御盤に接続されているすべてのケーブルも持ち上げられる。すなわち、持ち上げるだけの余長が、全ケーブルに必要となり、ケーブルに余長がない場合には、この方法を用いることができない。さらに、既設の制御盤を設置床から持ち上げるため、既設の制御盤と天井との間に隙間を要し、持ち上げるだけの隙間がない場合には、この方法を用いることができない。
【０００４】
このため、既設の制御盤を持ち上げることなく、既設の制御盤の配置スペースに新たな制御盤を設置できるようにする制御装置用架台が知られている（例えば、特許文献１参照。）。この制御装置用架台は、四角い枠状で、前面側の一辺が対向する一辺に対して進退動自在な可動辺であり、この可動辺を対向する一辺側から後退させると、この可動辺と制御盤の側壁との間にケーブルを挿通可能な余剰開口部が形成されるものである。
【先行技術文献】
【特許文献】
【０００５】
【特許文献１】特開２０１５−８２８７７号公報
【発明の概要】
【発明が解決しようとする課題】
【０００６】
ところで、上記特許文献１に記載の制御装置用架台では、既設の制御盤が載置されている状態、つまり、制御装置用架台に荷重がかかっている状態で可動辺を動かす必要があるため、可動辺を動かすことが困難な場合がある。また、ケーブルを余剰開口部に通し可動辺を乗り越えて新たな制御盤に接続しなければならず、ケーブルを複雑に曲げる必要があり、取り回しが煩雑で手間を要するばかりでなく、ケーブルの曲率半径を確保するために広いスペースを要する場合がある。
【０００７】
そこで本発明は、原位置で既設の制御装置（既設制御装置）を新たな制御装置（新設制御装置）により容易かつ確実に取り替えることを可能にする、制御装置用架台および制御装置取替方法を提供することを目的とする。
【課題を解決するための手段】
【０００８】
上記課題を解決するために、請求項１の発明は、断面が略四角い筒状体で水平に延びて設置床に設置される架台本体を備え、制御装置を載置する制御装置用架台であって、前記架台本体の正面側の垂直面部の上下縁よりも内側に、前記制御装置に接続されるケーブル群を挿入可能な正面側開口が形成され、前記架台本体の背面側の垂直面部の上下縁よりも内側に、前記ケーブル群を挿入可能な背面側開口が形成され、前記架台本体の上面側の水平面部に、前記正面側開口と前記背面側開口とに連通する上面側開口が形成され、前記正面側開口を開閉する正面側開閉蓋と、前記上面側開口を開閉する上面側開閉蓋と、を備えることを特徴とする。
【０００９】
請求項２の発明は、請求項１に記載の制御装置用架台において、前記正面側開口と前記背面側開口の大きさは、２台の前記制御装置分の前記ケーブル群を挿入可能に設定されている、ことを特徴とする。
【００１０】
請求項３の発明は、請求項１または２に記載の制御装置用架台において、前記正面側開閉蓋は、下端部に設けられたヒンジを中心に回転することで前記正面側開口を開閉する、ことを特徴とする。
【００１１】
請求項４の発明は、請求項１〜３のいずれか１項に記載の制御装置用架台に載置された既設制御装置を、新設制御装置に取り替える制御装置取替方法であって、前記正面側開閉蓋を開けて、前記新設制御装置用の前記ケーブル群を前記設置床下から前記背面側開口および前記正面側開口を通して、前記新設制御装置に接続するケーブル接続ステップと、前記既設制御装置に接続されている前記ケーブル群を前記既設制御装置から取り外し、前記既設制御装置を撤去する撤去ステップと、前記上面側開閉蓋を開けて、前記新設制御装置に接続されている前記ケーブル群を前記上面側開口に通しながら、前記既設制御装置が設置されていた位置に前記新設制御装置を移動する移動ステップと、を備えることを特徴とする。
【発明の効果】
【００１２】
請求項１の発明によれば、請求項４に記載の制御装置取替方法のように、新設制御装置用のケーブル群（新設ケーブル群）を設置床下から背面側開口および正面側開口を通して新設制御装置に接続し、既設制御装置に接続されているケーブル群（既設ケーブル群）を既設制御装置から取り外して既設制御装置を撤去し、新設ケーブル群を上面側開口に通しながら既設制御装置の設置位置に新設制御装置を移動することで、既設制御装置と同じ位置つまり原位置に新設制御装置を設置することできる。
【００１３】
しかも、新設ケーブル群を架台本体の背面側開口と正面側開口を通して、新設制御装置に接続するため、新設ケーブル群を複雑に曲げる必要がなく、煩雑な取り回しや広いスペースを要しない。また、正面側開口を開閉する正面側開閉蓋と、上面側開口を開閉する上面側開閉蓋とを備えるため、架台本体内や設置床下などに工事端材やゴミなどが入るのを防止することができる。しかも、架台本体の垂直面部の上下縁よりも内側、つまり、制御装置や設置床に直接接しない部位に正面側開口が形成されているため、正面側開閉蓋で正面側開口を容易に開閉することができる。このようにして、同じ設置位置で既設制御装置と新設制御装置を容易かつ確実に取り替えることが可能となる。
【００１４】
請求項２の発明によれば、２台の制御装置分のケーブル群を挿入できるように、正面側開口と背面側開口の大きさが設定されているため、より容易に取替作業を行うことが可能となる。例えば、必要に応じて、新設ケーブル群と既設ケーブル群を正面側開口と背面側開口に挿入することで、より容易に取替作業を行うことが可能となる。つまり、作業状況や環境などに応じた柔軟な作業が可能となる。
【００１５】
請求項３の発明によれば、正面側開閉蓋を下端部のヒンジを中心に回転させて正面側開口を開けた状態で、正面側開口の下方に正面側開閉蓋が位置するため、正面側開閉蓋が邪魔にならず、より容易に取替作業を行うことが可能となる。しかも、正面側開閉蓋を回転させるだけで正面側開口を開閉できるため、容易かつ迅速な開閉が可能となる。
【図面の簡単な説明】
【００１６】
【図１】この発明の実施の形態に係る制御装置用架台を示す平面図（ａ）と正面図（ｂ）である。
【図２】図１の制御装置用架台の正面側開閉蓋と上面側開閉蓋を開けた状態を示す平面図（ａ）と正面図（ｂ）である。
【図３】図１のＡ−Ａ断面図（ａ）と、図２のＢ−Ｂ断面図（ｂ）である。
【図４】図２のＣ−Ｃ断面図である。
【図５】図１の制御装置用架台を複数配設した組架台を示す平面図（ａ）と正面図（ｂ）である。
【図６】図１の制御装置用架台を用いた制御装置取替方法において、新設制御盤を仮設した状態を示す概念図である。
【図７】図６に続いて、新設制御盤に新設ケーブル群を接続した状態を示す概念図である。
【図８】図７に続いて、既設制御盤を撤去した状態を示す概念図である。
【図９】図８に続いて、新設制御盤を移動した状態を示す概念図である。
【発明を実施するための形態】
【００１７】
以下、この発明を図示の実施の形態に基づいて説明する。
【００１８】
図１〜図９は、この発明の実施の形態を示し、図１は、この実施の形態に係る制御装置用架台１を示す平面図（ａ）と正面図（ｂ）であり、図２は、制御装置用架台１の正面側開閉蓋３と上面側開閉蓋４を開けた状態を示す平面図（ａ）と正面図（ｂ）である。この制御装置用架台１は、制御装置を載置するチャネルであり、後述するように、既設制御盤（既設制御装置）１００と同じ設置位置に新設制御盤（新設制御装置）２００を設置することを可能にするものである。
【００１９】
ここで、既設制御盤１００と新設制御盤２００とは構造や大きさなどが同等で、筐体状のキャビネット内に各種の制御機器や部材などが収容されている。また、キャビネットには底板が設けられておらず開口が形成され、この開口から後述するケーブル群（複数のケーブル）１１０、２１０などをキャビネット内に引き込んだり、上面側開閉蓋４を開閉したりできるようになっている。
【００２０】
制御装置用架台１は、主として、架台本体２と、正面側開閉蓋３と、上面側開閉蓋４と、を備える。
【００２１】
架台本体２は、断面が略四角い筒状体・中空体で、水平に延びて設置床Ｆに設置されるものである。すなわち、断面が略四角い中空の鋼材で構成され、図３に示すように、底面部（下面側の水平面部）２４が設置床Ｆに接してアンカーボルト２０で設置される。そして、後述するようにして制御盤１００、２００が載置された状態で、正面部（正面側の垂直面部）２１が外に面して制御盤１００、２００の壁面（例えば、正面）とほぼ面一に位置し、背面部（背面側の垂直面部）２２が制御盤１００、２００の内側に位置し、上面部（上面側の水平面部）２３が制御盤１００、２００の真下に位置する。
【００２２】
この架台本体２の正面部２１の上下縁よりも内側に、図１に示すように、制御盤１００、２００に接続されるケーブル群１１０、２１０を挿入可能な正面側開口２Ａが形成されている。すなわち、横長の長方形状の正面部２１の上辺よりも低く下辺よりも高い領域内に、横長の長方形状・窓孔状の正面側開口２Ａが形成されている。同様に、架台本体２の背面部２２の上下縁よりも内側に、ケーブル群１１０、２１０を挿入可能な背面側開口２Ｂが形成されている。すなわち、横長の長方形状の背面部２２の上辺よりも低く下辺よりも高い領域内に、横長の長方形状の背面側開口２Ｂが形成されている。
【００２３】
この正面側開口２Ａと背面側開口２Ｂとは、同じ形状、大きさで同位置に対向して形成され、その大きさは、２台の制御盤分のケーブル群を同時に挿入可能に設定されている。すなわち、この実施の形態では、既設制御盤１００の既設ケーブル群１１０と新設制御盤２００の新設ケーブル群２１０とを同時に挿入できるように、正面側開口２Ａと背面側開口２Ｂの大きさ、形状および架台本体２の高さが設定されている。
【００２４】
また、架台本体２の上面部２３には、図２に示すように、正面側開口２Ａと背面側開口２Ｂとに連通する上面側開口２Ｃが形成されている。すなわち、正面側開口２Ａの上縁・上辺と背面側開口２Ｂの上縁とを繋いで一体的な開口になるように、上面側開口２Ｃが形成されている。この上面側開口２Ｃは、正面側開口２Ａと背面側開口２Ｂの水平方向（架台本体２の長手方向）の中央部に形成され、水平方向の長さは、後述するように、正面側開口２Ａと背面側開口２Ｂに対してケーブル群１１０、２１０を出し入れする際に、円滑に行えるように設定されている。ここで、この実施の形態では、上面側開口２Ｃの両側に位置する上面部２３の部位に、制御盤１００、２００が当接して支持されるようになっている。
【００２５】
正面側開閉蓋３は、正面側開口２Ａを開閉する蓋であり、下端部に設けられたヒンジ３１を中心に回転することで正面側開口２Ａを開閉する。すなわち、鋼板で構成され、正面側開口２Ａと略同じ形状、大きさで、正面側開口２Ａ内に嵌合するように形成されている。そして、正面側開閉蓋３の下端部・下辺部と正面側開口２Ａの下縁部とを連結するようにヒンジ３１が取り付けられ、このヒンジ３１を中心に正面側開閉蓋３が回転することで正面側開口２Ａを開閉するようになっている。また、正面側開閉蓋３の左右上部の角部には、後述する正面蓋固定ネジ３３を挿入するための挿入孔が形成されている。
【００２６】
一方、図２および図４に示すように、正面側開口２Ａの左右上部の角部には、正面部２１の裏面から取り付けられた蓋固定板３２が、正面側開口２Ａ側に突出して配設され、この蓋固定板３２にはネジ孔３２ａが形成されている。そして、図１に示すように、正面側開閉蓋３を閉じて、正面側開閉蓋３の左右上部の角部から正面蓋固定ネジ３３をネジ孔３２ａに螺合することで、正面側開口２Ａの閉状態が維持され、正面蓋固定ネジ３３を外すことで正面側開閉蓋３を開けられるものである。
【００２７】
上面側開閉蓋４は、上面側開口２Ｃを開閉する蓋であり、鋼板で構成され、上面側開口２Ｃの外形状とほぼ同形状に形成されている。すなわち、図１に示すように、断面が略コ字状で、上面側開口２Ｃを塞いだ状態で上面部２３と面一になる蓋上面部４ａと、この蓋上面部４ａの両端縁から垂直に延びて正面部２１と背面部２２と面一になる蓋側面部４ｂと、を有する。また、蓋上面部４ａの長手方向の両端から延びる蓋取付部４１が設けられ、この蓋取付部４１には、後述する上面蓋固定ネジ４３を挿入するための挿入孔が形成されている。
【００２８】
一方、上面側開口２Ｃの長手方向の両端部周辺において、図２に示すように、上面部２３の一部が切り取られて、正面部２１の一部である正面端部２１１と、背面部２２の一部である背面端部２２１とが形成されている。さらに、正面端部２１１と背面端部２２１との間を架設するように被取付部４２が取り付けられ、図４に示すように、この被取付部４２の上面は、正面端部２１１と背面端部２２１の上縁と面一となっている。また、被取付部４２にはネジ孔４２ａが形成されている。
【００２９】
そして、図１に示すように、両蓋取付部４１を両被取付部４２に載せて上面側開閉蓋４を閉じて、両蓋取付部４１から上面蓋固定ネジ４３をネジ孔４２ａに螺合することで、上面側開口２Ｃの閉状態が維持され、上面蓋固定ネジ４３を外すことで上面側開閉蓋４を開けられるものである。
【００３０】
次に、このような構成の制御装置用架台１の作用および、この制御装置用架台１を使用した制御装置取替方法について説明する。
【００３１】
まず、この実施の形態では、図５に示すように、制御装置用架台１が複数配設されて組架台１０が構成され、この組架台１０上に複数の既設制御盤１００が設置され、そのうちの１台の既設制御盤１００を新設制御盤２００に取り替える場合について、以下に説明する。ここで、組架台１０は、同じ高さである、制御装置用架台１と、断面が略四角い中空の背面架台５と、断面がＬ字状の縦架台６１〜６３と、を複数格子状（碁盤の目状）に配設して構成されている。
【００３２】
具体的には、制御装置用架台１は、組架台１０の四角い外枠の前面側と背面側に配設され、背面架台５は、組架台１０の枠内であって各制御装置用架台１に対向して配設されている。そして、対向する一対の制御装置用架台１と背面架台５とで挟まれた領域が、制御盤１００、２００が配置される配置スペースＳとなる。この実施の形態では、６つの配置スペースＳが設けられている。また、背面架台５は着脱自在で、対向する背面架台５間の床下には、ケーブルなどを敷設するためのピットが設けられている。
【００３３】
第１の縦架台６１は、組架台１０の四角い外枠の左右側に配設され、第２の縦架台６２は、隣接する配置スペースＳ間に２つ並列して配設され、第３の縦架台６３は、端面が対向する第２の縦架台６２間に２つ並列して配設されている。この第３の縦架台６３は、ボルト、ナットなどによって、隣接する第２の縦架台６２に着脱自在に連結されている。そして、既設制御盤１００の正面と制御装置用架台１の正面部２１とが、ほぼ面一に位置して既設制御盤１００が設置されているものとする。
【００３４】
まず、図６に示すように、既設制御盤１００の周辺の空スペース、例えば、前面側のスペースに新設制御盤２００を仮置きする。このとき、開口２０１ａが設けられた仮架台２０１の上に新設制御盤２００を載置し、新設制御盤２００の下面と設置床Ｆとの間に空間を設け、後述する新設ケーブル群２１０を配設できるようにする。また、仮架台２０１の高さは、制御装置用架台１の高さよりもやや高いことが望ましく、これにより、後述する移動ステップを容易、円滑に行うことが可能となる。
【００３５】
続いて、ケーブル接続ステップとして、図７に示すように、制御装置用架台１の正面側開閉蓋３を開けて、新設ケーブル群２１０を新設制御盤２００に接続する。すなわち、ピットからの新設ケーブル群２１０を既設制御盤１００の真下（配置スペースＳ）の床下から引き上げて、背面側開口２Ｂ、正面側開口２Ａおよび仮架台２０１の開口２０１ａを通して新設制御盤２００の制御機器などに接続する。このとき、取替対象の配置スペースＳつまり既設制御盤１００の位置などに応じて第３の縦架台６３を取り外すことで、ピットからの新設ケーブル群２１０を容易、円滑に既設制御盤１００側に取り回すことができる。
【００３６】
その後、既設制御盤１００から新設制御盤２００に通電を切り替えて、既設制御盤１００を通電停止状態とし、新設制御盤２００を通電可能状態とする。これにより、既設ケーブル群１１０は非通電状態となる。
【００３７】
次に、撤去ステップとして、図８に示すように、既設制御盤１００に接続されている既設ケーブル群１１０を既設制御盤１００から取り外し、既設制御盤１００を撤去する。すなわち、既設ケーブル群１１０を既設制御盤１００の制御機器などから取り外し、床下に引き下ろしてピットから撤去する。あるいは、取り外した既設ケーブル群１１０を背面側開口２Ｂと正面側開口２Ａを通して床上に引き出す。その後、既設制御盤１００内の制御機器などを取り外して、できるだけ既設制御盤１００を軽量な状態にし、既設制御盤１００を水平に移動させて制御装置用架台１および背面架台５（配置スペースＳ）から移動、撤去する。
【００３８】
続いて、移動ステップとして、図９に示すように、既設制御盤１００が設置されていた配置スペースＳに新設制御盤２００を移動する。すなわち、上面側開閉蓋４を開け、新設ケーブル群２１０を上面側開口２Ｃに通しながら、新設制御盤２００を制御装置用架台１側に移動して、新設制御盤２００を水平移動させて（横滑りさせて）制御装置用架台１および背面架台５の上に載置する。そして、新設ケーブル群２１０の余長を引っ張ってピット内に収納して、正面側開閉蓋３と上面側開閉蓋４を閉めるものである。
【００３９】
以上のように、この制御装置用架台１および制御装置取替方法によれば、新設ケーブル群２１０を設置床Ｆの下から背面側開口２Ｂおよび正面側開口２Ａを通して新設制御盤２００に接続し、既設ケーブル群１１０を既設制御盤１００から取り外して既設制御盤１００を撤去し、新設ケーブル群２１０を上面側開口２Ｃに通しながら既設制御盤１００の設置位置（配置スペースＳ）に新設制御盤２００を移動することで、既設制御盤１００と同じ位置つまり原位置に新設制御盤２００を設置することできる。
【００４０】
しかも、新設ケーブル群２１０を架台本体２の背面側開口２Ｂと正面側開口２Ａを通して、新設制御盤２００に接続するため、新設ケーブル群２１０を複雑に曲げる必要がなく（制御装置用架台１を乗り越えたりする必要がなく）、煩雑な取り回しや広いスペースを要しない。また、正面側開口２Ａを開閉する正面側開閉蓋３と、上面側開口２Ｃを開閉する上面側開閉蓋４とを備えるため、架台本体２内や床下などに工事端材やゴミなどが入るのを防止することができる。しかも、架台本体２の正面部２１の上下縁よりも内側、つまり、制御盤１００、２００や設置床Ｆに直接接しない部位に正面側開口２Ａが形成されているため、正面側開閉蓋３で正面側開口２Ａを容易に開閉することができる。このようにして、同じ設置位置で既設制御盤１００と新設制御盤２００を容易かつ確実に取り替えることが可能となる。
【００４１】
また、２台の制御盤分のケーブル群を挿入できるように、正面側開口２Ａと背面側開口２Ｂの大きさ、架台本体２の高さが設定されているため、より容易に取替作業を行うことが可能となる。例えば、上記のように、必要に応じて、新設ケーブル群２１０と既設ケーブル群１１０を同時に正面側開口２Ａと背面側開口２Ｂに挿入することで、より容易に取替作業を行うことが可能となる。つまり、作業状況や環境などに応じた柔軟な作業が可能となる。
【００４２】
さらに、正面側開閉蓋３を下端部のヒンジ３１を中心に回転させて正面側開口２Ａを開けた状態で、図２に示すように、正面側開口２Ａの下方に正面側開閉蓋３が位置するため、正面側開閉蓋３が邪魔にならず、より容易に取替作業を行うことが可能となる。しかも、正面側開閉蓋３を回転させるだけで正面側開口２Ａを開閉できるため、容易かつ迅速な開閉が可能となる。
【００４３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、制御盤１００、２００の正面と制御装置用架台１の正面部２１とが同じ向きに位置する場合について説明したが、設置環境などに応じて、制御盤１００、２００の側面や背面と制御装置用架台１の正面部２１とが、同じ向きに位置するようにしてもよい。一方、制御装置には、制御盤や配電盤、リレー盤などを含み、キャビネット内に各種機器が収容され、床下からケーブルが接続されているものが含まれる。
【符号の説明】
【００４４】
１        制御装置用架台
１０      組架台
２        架台本体
２１      正面部（正面側の垂直面部）
２２      背面部（背面側の垂直面部）
２３      上面部（上面側の水平面部）
２４      底面部（下面側の水平面部）
２Ａ      正面側開口
２Ｂ      背面側開口
２Ｃ      上面側開口
３        正面側開閉蓋
３１      ヒンジ
４        上面側開閉蓋
１００    既設制御盤（既設制御装置）
１１０    既設ケーブル群
２００    新設制御盤（新設制御装置）
２１０    新設ケーブル群
Ｆ        設置床
【図１】
2020150755.tif 000003
【図２】
2020150755.tif 000004
【図３】
2020150755.tif 000005
【図４】
2020150755.tif 000006
【図５】
2020150755.tif 000007
【図６】
2020150755.tif 000008
【図７】
2020150755.tif 000009
【図８】
2020150755.tif 000010
【図９】
2020150755.tif 000011